(57)【要約】      （修正有）【課題】負荷の起動により発生する突入電流によって発電装置からの電力供給が停止することを抑制する。【解決手段】制御装置２０は、判定部２３と、充電制御部２５と、起動指示部２７と、を具備する。判定部２３は、第１の負荷が起動する場合に、当該第１の負荷の突入電流と、既に稼働中の第２の負荷の定常状態における消費電流との合計の電流値が、第１の電流値以上か否かを判定する。充電制御部２５は、合計の電流値が第１の電流値以上である場合に、発電装置によって生成された電力に基づく蓄電池の充電、および、発電装置によって生成された電力の負荷への給電を実行する蓄電装置１４に指示して、蓄電池の充電電力を減少させる。起動指示部２７は、蓄電池の充電電力が減少した後に、第１の負荷を起動させる。【選択図】図２
2015154616.tif 000002
【特許請求の範囲】
【請求項１】
第１の負荷が起動する場合に、当該第１の負荷の突入電流と、既に稼働中の第２の負荷の定常状態における消費電流との合計の電流値が、第１の電流値以上か否かを判定する判定部と；
前記合計の電流値が前記第１の電流値以上である場合に、発電装置によって生成された電力に基づく蓄電池の充電、および、前記発電装置によって生成された電力の負荷への給電を実行する蓄電装置に指示して、前記蓄電池の充電電力を減少させる充電制御部と；
前記合計の電流値が前記第１の電流値以上である場合に、前記蓄電池の充電電力が減少した後に、前記第１の負荷を起動させる起動指示部と；
を具備する制御装置。
【請求項２】
負荷毎に、突入電流、定常状態における消費電流、および稼働中か否かを示す情報を記憶する記憶部を具備し、
前記判定部は、
前記第１の負荷から起動要求を受信した場合に、前記第１の負荷の突入電流と、前記第２の負荷の定常状態における消費電流とを前記記憶部から抽出し、抽出した突入電流および定常状態での消費電流の合計の電流値が、前記第１の電流値以上か否かを判定する請求項１に記載の制御装置。
【請求項３】
負荷毎に、突入電流、定常状態における消費電流、および稼働中か否かを示す情報を収集して前記記憶部に記憶させる収集部をさらに具備する請求項１または２に記載の制御装置。
【請求項４】
前記記憶部には、負荷毎に、突入電流の継続時間の情報が記憶されており、
前記充電制御部は、
前記合計の電流値が前記第１の電流値以上である場合に、前記記憶部を参照して、前記第１の負荷が起動してから、少なくとも、当該第１の負荷の突入電流の継続時間が経過するまでの間は、前記発電装置によって生成された電力に基づく電流と、前記蓄電池から放電された電力に基づく電流とを、前記第１の負荷および既に稼働中の前記第２の負荷に供給するよう前記蓄電制御装置にさらに指示する請求項２または３に記載の制御装置。
【請求項５】
前記記憶部には、負荷毎に、突入電流の継続時間の情報が記憶されており、
前記充電制御部は、
前記合計の電流値が前記第１の電流値以上である場合に、前記記憶部を参照して、前記第１の負荷が起動してから、少なくとも、当該第１の負荷の突入電流の継続時間が経過するまでの間は、前記発電装置によって生成された電力に基づく電流、および、前記蓄電池から放電された電力に基づく電流のうち、いずれか大きい方を、前記第１の負荷および既に稼働中の前記第２の負荷に供給するよう前記蓄電制御装置にさらに指示する請求項２または３に記載の制御装置。
【請求項６】
前記第１の電流値は、
前記蓄電池を充電するための電流値と第２の電流値とを合わせた電流値を、前記発電装置によって生成されている電力に基づいて供給可能な電流の値から引いた値である請求項１から５のいずれか一項に記載の制御装置。
【請求項７】
前記判定部は、
前記蓄電装置が前記蓄電池を充電中である場合に、前記合計の電流値が前記第１の電流値以上であるか否かを判定する請求項１から６のいずれか一項に記載の制御装置。
【請求項８】
前記発電装置は、再生可能エネルギーを用いて電力を生成する請求項１から７のいずれか一項に記載の制御装置。
【請求項９】
コンピュータが、
第１の負荷が起動する場合に、当該第１の負荷の突入電流と、既に稼働中の第２の負荷の定常状態における消費電流との合計の電流値が、所定の電流値以上か否かを判定する判定工程と；
前記合計の電流値が前記所定の電流値以上である場合に、発電装置によって生成された電力に基づく蓄電池の充電、および、前記発電装置によって生成された電力の負荷への給電を実行する蓄電装置に指示して、前記蓄電池の充電電力を減少させる充電制御工程と；
前記合計の電流値が前記所定の電流値以上である場合に、前記蓄電池の充電電力が減少した後に、前記第１の負荷を起動させる起動指示工程と；
を実行する制御方法。
【請求項１０】
コンピュータに、
第１の負荷が起動する場合に、当該第１の負荷の突入電流と、既に稼働中の第２の負荷の定常状態における消費電流との合計の電流値が、所定の電流値以上か否かを判定する判定手順と；
前記合計の電流値が前記所定の電流値以上である場合に、発電装置によって生成された電力に基づく蓄電池の充電、および、前記発電装置によって生成された電力の負荷への給電を実行する蓄電装置に指示して、前記蓄電池の充電電力を減少させる充電制御手順と；
前記合計の電流値が前記所定の電流値以上である場合に、前記蓄電池の充電電力が減少した後に、前記第１の負荷を起動させる起動指示手順と；
を実行させるプログラム。
【請求項１１】
発電装置と；
前記発電装置によって生成された電力に基づく蓄電池の充電、および、前記発電装置によって生成された電力の負荷への給電を実行する蓄電装置と；
前記蓄電装置を制御する制御装置と；
を具備し、
前記制御部は、
第１の負荷が起動する場合に、当該第１の負荷の突入電流と、既に稼働中の第２の負荷の定常状態における消費電流との合計の電流値が、所定の電流値以上か否かを判定する判定部と；
前記合計の電流値が前記所定の電流値以上である場合に、発電装置によって生成された電力に基づく蓄電池の充電、および、前記蓄電装置に指示して、前記蓄電池の充電電力を減少させる充電制御部と；
前記合計の電流値が前記所定の電流値以上である場合に、前記蓄電池の充電電力が減少した後に、前記第１の負荷を起動させる起動指示部と；
を具備する電力制御システム。
【発明の詳細な説明】
【技術分野】
【０００１】
本発明の実施形態は、制御装置、制御方法、プログラム、および電力制御システムに関する。
【背景技術】
【０００２】
太陽光発電システムの自立運転では、発電量を超える電力を消費する負荷を稼働させることはできない。そのため、発電量を超えない範囲での負荷の運転スケジュールを、太陽光発電システムからの電力の供給状況と、負荷の状況とに基づいて決定する電力制御システムが知られている。また、起動する機器の突入電流によって、総消費電力が所定値を超える場合に、その機器の起動タイミングを延期したり、稼働中の他の機器を一時停止させてからその機器を起動する協調電力制御システムが知られている。
【０００３】
しかし、機器の中には、起動タイミングを変更できないものや、稼働中に一時停止できないものも存在する。発電装置の自立運転中において、停止できない機器を稼働させている場合に、新たに機器を起動すると、その機器の突入電流によって、複数の機器による総消費電力が、発電装置の発電量を上回る場合がある。そのような場合、発電装置からの電力供給が停止してしまう。
【先行技術文献】
【特許文献】
【０００４】
【特許文献１】特開２０１２−２２８０４３号公報
【特許文献２】特開２００３−２９９２６４号公報
【発明の概要】
【発明が解決しようとする課題】
【０００５】
そこで、本発明の実施形態が解決しようとする課題は、負荷の起動により発生する突入電流によって発電装置からの電力供給が停止することを抑制することができる制御装置、制御方法、プログラム、および電力制御システムを提供することである。
【課題を解決するための手段】
【０００６】
本実施形態に係る制御装置は、判定部と、充電制御部と、起動指示部と、を具備する。前記判定部は、第１の負荷が起動する場合に、当該第１の負荷の突入電流と、既に稼働中の第２の負荷の定常状態における消費電流との合計の電流値が、第１の電流値以上か否かを判定する。前記充電制御部は、前記合計の電流値が前記第１の電流値以上である場合に、発電装置によって生成された電力に基づく蓄電池の充電、および、前記発電装置によって生成された電力の負荷への給電を実行する蓄電装置に指示して、前記蓄電池の充電電力を減少させる。前記起動指示部は、前記蓄電池の充電電力が減少した後に、前記第１の負荷を起動させる。
【発明の効果】
【０００７】
本発明の実施形態によれば、負荷の起動により発生する突入電流によって発電装置からの電力供給が停止することを抑制することが期待できる。
【図面の簡単な説明】
【０００８】
【図１】図１は、実施形態に係る電力制御システムの一例を示すシステム構成図である。
【図２】図２は、制御装置の機能構成の一例を示すブロック図である。
【図３】図３は、記憶部に記憶される機器テーブルのデータ構造の一例を示す図である。
【図４】図４は、新たに起動する機器の突入電流と、蓄電池の充電電流との関係の一例を説明するための図である。
【図５】図５は、新たに起動する機器の突入電流と、蓄電池の充電電流との関係の一例を説明するための図である。
【図６】図６は、制御装置の動作の一例を示すフローチャートである。
【図７】図７は、蓄電装置の動作の一例を示すフローチャートである。
【図８】図８は、制御装置の機能を実現するコンピュータの一例を示すハードウェア構成図である。
【発明を実施するための形態】
【０００９】
以下で説明する実施形態に係る制御装置は、判定部と、充電制御部と、起動指示部と、を具備する。判定部は、第１の負荷が起動する場合に、当該第１の負荷の突入電流と、既に稼働中の第２の負荷の定常状態における消費電流との合計の電流値が、第１の電流値以上か否かを判定する。充電制御部は、合計の電流値が第１の電流値以上である場合に、発電装置によって生成された電力に基づく蓄電池の充電、および、発電装置によって生成された電力の負荷への給電を実行する蓄電装置に指示して、蓄電池の充電電力を減少させる。起動指示部は、合計の電流値が第１の電流値以上である場合に、蓄電池の充電電力が減少した後に、第１の負荷を起動させる。これにより、負荷の起動により発生する突入電流によって発電装置からの電力供給が停止することを抑制することが期待できる。
【００１０】
また、以下で説明する実施形態に係る制御装置は、負荷毎に、突入電流、定常状態における消費電流、および稼働中か否かを示す情報を記憶する記憶部を具備し、判定部は、第１の負荷から起動要求を受信した場合に、第１の負荷の突入電流と、稼働中の第２の負荷の定常状態における消費電流とを記憶部から抽出し、抽出した突入電流および定常状態での消費電流の合計の電流値が、第１の電流値以上か否かを判定するようにしてもよい。
【００１１】
また、以下で説明する実施形態に係る制御装置は、負荷毎に、突入電流、定常状態における消費電流、および稼働中か否かを示す情報を収集して記憶部に記憶させる収集部をさらに具備してもよい。
【００１２】
また、以下で説明する実施形態に係る制御装置において、記憶部には、負荷毎に、突入電流の継続時間の情報が記憶されており、充電制御部は、合計の電流値が第１の電流値以上である場合に、記憶部を参照して、第１の負荷が起動してから、少なくとも、当該第１の負荷の突入電流の継続時間が経過するまでの間は、発電装置によって生成された電力に基づく電流と、蓄電池から放電された電力に基づく電流とを、第１の負荷および既に稼働中の第２の負荷に供給するよう蓄電制御装置にさらに指示するようにしてもよい。
【００１３】
また、以下で説明する実施形態に係る制御装置において、記憶部には、負荷毎に、突入電流の継続時間の情報が記憶されており、充電制御部は、合計の電流値が第１の電流値以上である場合に、記憶部を参照して、第１の負荷が起動してから、少なくとも、当該第１の負荷の突入電流の継続時間が経過するまでの間は、発電装置によって生成された電力に基づく電流、および、蓄電池から放電された電力に基づく電流のうち、いずれか大きい方を、第１の負荷および既に稼働中の第２の負荷に供給するよう蓄電制御装置にさらに指示するようにしてもよい。
【００１４】
また、以下で説明する実施形態に係る制御装置において、第１の電流値は、蓄電池を充電するための電流値と第２の電流値とを合わせた電流値を、発電装置によって生成されている電力に基づいて供給可能な電流の値から引いた値であってもよい。
【００１５】
また、以下で説明する実施形態に係る制御装置において、判定部は、蓄電装置が蓄電池を充電中である場合に、合計の電流値が第１の電流値以上であるか否かを判定してもよい。
【００１６】
また、以下で説明する実施形態において、発電装置は、再生可能エネルギーを用いて電力を生成するものであってもよい。
【００１７】
また、以下で説明する実施形態に係る制御方法は、コンピュータが、判定工程と、充電制御工程と、起動指示工程と、を実行する。コンピュータは、判定工程において、第１の負荷が起動する場合に、当該第１の負荷の突入電流と、既に稼働中の第２の負荷の定常状態における消費電流との合計の電流値が、所定の電流値以上か否かを判定する。また、コンピュータは、充電制御工程において、合計の電流値が所定の電流値以上である場合に、発電装置によって生成された電力に基づく蓄電池の充電、および、発電装置によって生成された電力の負荷への給電を実行する蓄電装置に指示して、蓄電池の充電電力を減少させる。また、コンピュータは、起動指示工程において、合計の電流値が所定の電流値以上である場合に、蓄電池の充電電力が減少した後に、第１の負荷を起動させる。
【００１８】
また、以下で説明する実施形態に係るプログラムは、コンピュータに、判定手順と、充電制御手順と、起動指示手順と、を実行させる。コンピュータは、判定手順において、第１の負荷が起動する場合に、当該第１の負荷の突入電流と、既に稼働中の第２の負荷の定常状態における消費電流との合計の電流値が、所定の電流値以上か否かを判定する。また、コンピュータは、充電制御手順において、合計の電流値が所定の電流値以上である場合に、発電装置によって生成された電力に基づく蓄電池の充電、および、発電装置によって生成された電力の負荷への給電を実行する蓄電装置に指示して、蓄電池の充電電力を減少させる。また、コンピュータは、起動指示手順において、合計の電流値が所定の電流値以上である場合に、蓄電池の充電電力が減少した後に、第１の負荷を起動させる。
【００１９】
また、以下で説明する実施形態に係る電力制御システムは、発電装置と、蓄電装置と、制御装置と、を具備する。蓄電装置は、発電装置によって生成された電力に基づく蓄電池の充電、および、発電装置によって生成された電力の負荷への給電を実行する。制御装置は、蓄電装置を制御する。制御装置は、判定部と、充電制御部と、起動指示部と、を具備する。判定部は、第１の負荷が起動する場合に、当該第１の負荷の突入電流と、既に稼働中の第２の負荷の定常状態における消費電流との合計の電流値が、第１の電流値以上か否かを判定する。充電制御部は、合計の電流値が第１の電流値以上である場合に、発電装置によって生成された電力に基づく蓄電池の充電、および、発電装置によって生成された電力の負荷への給電を実行する蓄電装置に指示して、蓄電池の充電電力を減少させる。起動指示部は、合計の電流値が第１の電流値以上である場合に、蓄電池の充電電力が減少した後に、第１の負荷を起動させる。
【００２０】
以下、図面を参照して、実施形態に係る制御装置、制御方法、プログラム、および電力制御システムを説明する。なお、実施形態において同一の機能を有する構成には同一の符号を付し、重複する説明は省略する。また、以下の実施形態で説明する制御装置、制御方法、プログラム、および電力制御システムは、一例を示すに過ぎず、本発明を限定するものではない。
【００２１】
［電力制御システム１の構成］
図１は、実施形態に係る電力制御システム１の一例を示すシステム構成図である。本実施形態に係る電力制御システム１は、例えば住宅などの施設内に設けられ、発電装置１１、蓄電装置１４、および制御装置２０を備える。本実施形態において、発電装置１１は、再生可能エネルギーを利用して発電する。本実施形態において、発電装置１１が利用する再生可能エネルギーは、例えば太陽光である。なお、発電装置１１が利用する再生可能エネルギーは、太陽光に限られず、風力、波力、潮力、流水、潮汐、地熱、バイオマス等であってもよい。また、発電装置１１は、再生可能エネルギーと共に、または、再生可能エネルギーに代えて、化石燃料等の枯渇性エネルギーを用いて発電するものであってもよい。
【００２２】
発電装置１１は、ＰＣＳ（Power  Conditioning  System）１１０および太陽光パネル１１１を有する。本実施形態におけるＰＣＳ１１０は、太陽光パネル１１１によって生成された電力を、例えばＡＣ１００Ｖの電力に変換し、変換した電力を蓄電装置１４に供給する。ＰＣＳ１１０は、負荷で消費される電流の値が、太陽光パネル１１１によって生成された電力に基づく電流の値を超えた場合（いわゆる容量オーバーの場合）に、蓄電装置１４への電力供給を停止する。
【００２３】
系統１０から電力が供給されている場合（非停電時）、分電盤１２は、系統１０から供給された電力を、通常の電気配線やコネセントを介して一般負荷である機器１３ａや１３ｂに供給する。また、分電盤１２は、分電盤１５を介して、系統１０から供給されている電力を、選定負荷である機器１６ａや１６ｂに供給する。
【００２４】
分電盤１５は、非停電時に、分電盤１２を介して系統１０から受け取った電力を、非常用の電気配線やコンセントを介して、機器１６ａや１６ｂに供給する。また、分電盤１５は、停電時には、蓄電装置１４を介して受け取った電力を、非常用の電気配線やコンセントを介して、機器１６ａや１６ｂに供給する。なお、分電盤１５は、非停電時においても、蓄電装置１４を介して受け取った電力を、非常用の電気配線やコンセントを介して、機器１６ａや１６ｂに供給してもよい。
【００２５】
また、蓄電装置１４は、停電時において、太陽光パネル１１１によって生成されている電力のうち、選定負荷によって消費されている電力を差し引いた電力に基づいて、蓄電池１７を充電する。また、蓄電装置１４は、ＰＣＳ１１０から出力されている電力を測定し、現在の発電量で供給可能な電流の値を算出する。そして、制御装置２０からの問い合わせに応じて、算出した電流の値を通知する。
【００２６】
また、蓄電装置１４は、停電時に、制御装置２０からの指示に応じて、太陽光パネル１１１からの電力に基づく蓄電池１７の充電の実行および停止を制御する。また、蓄電装置１４は、停電時に、制御装置２０からの指示に応じて、蓄電池１７の放電の実行および停止を制御する。
【００２７】
アクセスポイント１８は、制御装置２０およびそれぞれの機器１６と、Bluetooth（登録商標）や無線ＬＡＮ等の無線通信方式を用いて無線通信を行う。そして、アクセスポイント１８は、制御装置２０とそれぞれの機器１６との間の通信、制御装置２０と通信回線１９との間の通信、および、それぞれの機器１６と通信回線１９との間の通信を中継する。
【００２８】
それぞれの機器１６は、アクセスポイント１８を介して制御装置２０と通信を行う通信部と、機器１６に特有の機能を実現する本体部とを有する。通信部は、ユーザから起動を指示された場合に、機器１６を識別する機ＩＤを含む起動要求を、アクセスポイント１８を介して制御装置２０へ送信する。そして、アクセスポイント１８を介して制御装置２０から起動指示を受信した場合に、通信部は、本体部を起動させる。本体部は、分電盤１５を介して供給された電力を用いて動作を開始する。
【００２９】
制御装置２０は、停電の発生時に、ＰＣＳ１１０から出力された電力を、分電盤１５を介して非常用の電気配線やコンセントに供給するよう蓄電装置１４に指示する。
【００３０】
また、制御装置２０は、停電中に、アクセスポイント１８を介して機器１６から起動要求を受信した場合に、当該起動要求に含まれている機器ＩＤに基づいて、当該起動要求の送信元の機器１６の起動時に本体部に流れる突入電流の値を特定する。そして、制御装置２０は、分電盤１５に接続されている機器１６の中で、既に稼働中の機器１６の定常状態での消費電流の値を特定する。また、制御装置２０は、蓄電装置１４に問い合わせを行い、発電装置１１の現在の発電量において供給可能な電流の値を取得する。
【００３１】
そして、制御装置２０は、起動要求の送信元の機器１６の起動時に本体部に流れる突入電流の値と、分電盤１５に接続されている機器１６の中で、稼働中の機器１６の定常状態での消費電流の値とを合計する。そして、制御装置２０は、合計した電流の値が、第１の電流値以上である場合に、蓄電装置１４に蓄電池１７の充電停止を指示する。第１の電流値は、例えば、蓄電池１７の充電電流の値に所定のマージンを加えた値を、発電装置１１の現在の発電量において供給可能な電流の値から引いた値である。
【００３２】
そして、制御装置２０は、蓄電池１７の充電が停止した旨を示す充電停止応答を蓄電装置１４から受信した場合に、起動要求の送信元の機器１６に、起動指示を送信する。なお、合計した電流の値が、第１の電流値未満である場合、制御装置２０は、蓄電装置１４に蓄電池１７の充電停止を指示することなく、起動要求の送信元の機器１６に、起動指示を送信する。
【００３３】
このように、新たに起動する機器１６の突入電流によって、分電盤１５に接続された機器１６において消費される電流の合計値が、第１の電流値を超える場合に、蓄電池１７の充電を停止することにより、消費される電流の値を、発電装置１１の現在の発電量において供給可能な電流の値の範囲内に抑えることができる可能性が高まる。これにより、新たに起動する機器１６の突入電流によって、発電装置１１からの電力供給が停止することを抑制することが期待できる。
【００３４】
［制御装置２０の構成］
図２は、制御装置２０の機能構成の一例を示すブロック図である。制御装置２０は、記憶部２１、収集部２２、判定部２３、無線通信部２４、充電制御部２５、有線通信部２６、および起動指示部２７を有する。
【００３５】
記憶部２１は、機器テーブル２１０を記憶する。図３は、記憶部２１に記憶される機器テーブル２１０のデータ構造の一例を示す図である。機器テーブル２１０には、それぞれの機器１６を識別する機器ＩＤ２１１に対応付けて、突入電流２１２、継続時間２１３、消費電流２１４、およびステータス２１５が格納される。
【００３６】
突入電流２１２は、機器ＩＤ２１１に対応する機器１６の本体部が起動する際に発生する突入電流の値である。継続時間２１３は、機器ＩＤ２１１に対応する機器１６の突入電流の継続時間である。消費電流２１４は、機器ＩＤ２１１に対応する機器１６が稼働中である場合の定常状態での消費電流の値である。ステータス２１５は、機器ＩＤ２１１に対応する機器１６が稼働中または停止中のいずれであるかを示す。ステータス２１５に「稼働」が格納されている場合、機器ＩＤ２１１に対応する機器１６が稼働中であることを示し、ステータス２１５に「停止」が設定されている場合、機器ＩＤ２１１に対応する機器１６が停止中であることを示す。
【００３７】
図３には、「Ｅ００１」の機器ＩＤ２１１に対応付けて、「Ｉr1」の突入電流２１２、「Ｔ1」の継続時間２１３、「Ｉc1」の消費電流２１４、および「停止」のステータス２１５が格納されている機器テーブル２１０が例示されている。
【００３８】
図２に戻って説明を続ける。無線通信部２４は、アクセスポイント１８との間で、Bluetoothや無線ＬＡＮ等の無線通信方式を用いて無線通信を行う。無線通信部２４は、各機器１６から送信された通信データをアクセスポイント１８を介して受信し、受信した通信データを収集部２２および判定部２３へ送る。また、無線通信部２４は、起動指示部２７から受け取った通信データを、アクセスポイント１８を介して宛先の機器１６へ送信する。
【００３９】
有線通信部２６は、通信ケーブルを介して蓄電装置１４との間で有線通信を行う。有線通信部２６は、蓄電装置１４から送信された通信データを通信ケーブルを介して受信し、受信した通信データを判定部２３および充電制御部２５へ送る。また、有線通信部２６は、充電制御部２５から受け取った通信データを、通信ケーブルを介して蓄電装置１４へ送信する。なお、有線通信部２６は、有線通信に代えて、Bluetoothや無線ＬＡＮ等の無線通信方式を用いて蓄電装置１４との間で無線通信を行ってもよい。
【００４０】
収集部２２は、無線通信部２４を介して、各機器１６から、当該機器１６の機器ＩＤ、突入電流の値、突入電流の継続時間、および定常状態で稼働中の消費電流の値を含む登録要求を受信した場合に、登録要求に含まれている機器ＩＤに対応付けて、登録要求に含まれている突入電流の値、継続時間、および消費電流の値を、「停止」を示すステータスと共に、記憶部２１内の機器テーブル２１０に登録する。
【００４１】
なお、登録要求には突入電流の値、継続時間、および消費電流の値が含まれていなくてもよい。この場合、収集部２２は、登録要求に含まれている機器ＩＤに基づいて、無線通信部２４、アクセスポイント１８、および通信回線１９を介して、当該機器１６の製造メーカのホームページ等にアクセスする。そして、収集部２２は、アクセス先から、機器ＩＤに対応する機器１６の突入電流、継続時間、および消費電流の情報を取得してもよい。
【００４２】
また、収集部２２は、無線通信部２４およびアクセスポイント１８を介して、それぞれの機器１６から機器ＩＤを含む停止通知を受信した場合に、記憶部２１内の機器テーブル２１０を参照し、停止通知に含まれている機器ＩＤに対応付けられているステータスに「停止」を設定する。それぞれの機器１６の通信部は、本体部の動作が停止した場合（本体部への電源供給が停止した場合）、機器１６の機器ＩＤを含む停止通知を、アクセスポイント１８を介して制御装置２０へ送信する。なお、収集部２２は、無線通信部２４およびアクセスポイント１８を介して、それぞれの機器１６にハートビート信号を送信することにより、それぞれの機器１６が稼働中か否かを監視してもよい。
【００４３】
判定部２３は、無線通信部２４およびアクセスポイント１８を介して、機器１６から起動要求を受信した場合に、記憶部２１内の機器テーブル２１０を参照し、起動要求に含まれている機器ＩＤに対応付けられている突入電流の値を取得する。そして、判定部２３は、記憶部２１内の機器テーブル２１０を参照し、「稼働」のステータスが対応付けられている機器ＩＤを特定し、特定した機器ＩＤに対応付けられている消費電流の値を取得する。そして、判定部２３は、突入電流の値と、稼働中の機器１６の消費電流の値とを合計する。
【００４４】
次に、判定部２３は、有線通信部２６を介して蓄電装置１４に問い合わせ、発電装置１１による現在の発電量に基づいて供給可能な電流の値を取得する。そして、判定部２３は、蓄電池１７の充電電流の値に所定のマージンを加えた値を算出し、取得した電流値から算出した値を引いた値を、第１の電流値として算出する。
【００４５】
次に、判定部２３は、起動する機器１６の突入電流の値と、稼働中の機器１６の消費電流の値との合計の電流値が、算出した第１の電流値以上か否かを判定する。図４および図５は、新たに起動する機器１６の突入電流と、蓄電池１７の充電電流との関係の一例を説明するための図である。図４および図５において、Ｉmaxは、発電装置１１による現在の発電量に基づいて供給可能な電流の値を示す。Ｉbは、蓄電池１７の充電電流を示す。Ｉmは、電流値のマージンを示す。Ｉthは、第１の電流値を示す。Ｉca、Ｉcb、・・・は、稼働中の機器１６それぞれの定常状態における消費電流の値を示す。Ｉrは、起動要求の送信元の機器１６の突入電流を示す。Ｉcは、起動要求の送信元の機器１６の起動後の定常状態における消費電流を示す。Ｉtotalは、起動要求の送信元の機器１６の突入電流Ｉrと、稼働中の機器１６のそれぞれの消費電流Ｉca、Ｉcb、・・・の合計の電流値を示す。Ｔは、起動要求の送信元の機器１６の突入電流の継続時間を示す。
【００４６】
例えば図４に示すように、合計の電流値Ｉtotalが第１の電流値Ｉth未満である場合、判定部２３は、起動要求に含まれていた機器ＩＤと共に、当該機器ＩＤに対応する機器１６の起動を起動指示部２７に指示する。一方、例えば図５に示すように、合計の電流値Ｉtotalが第１の電流値Ｉth以上である場合、判定部２３は、起動要求に含まれていた機器ＩＤと共に、蓄電池１７の充電電力の減少を充電制御部２５に指示する。判定部２３は、充電電力の減少量を充電制御部２５に指示してもよく、減少させた後の充電電力の値を充電制御部２５に指示してもよい。本実施形態において、判定部２３は、減少させた後の充電電力の値を０とすることを意味する充電停止を充電制御部２５に指示する。
【００４７】
図５に示すように、合計の電流値Ｉtotalが第１の電流値Ｉth以上である場合に、蓄電池１７の充電を停止することにより、分電盤１５から供給可能な電流は、蓄電池１７の充電電流Ｉb分増加する。これにより、発電装置１１による現在の発電量に基づいて供給可能な電流Ｉmaxを、機器１６の起動により発生する突入電流Ｉrと、稼働中の機器１６の消費電流Ｉca、Ｉcb、・・・の合計の電流Ｉtotalに割り当てることができる。そのため、機器１６の起動に伴う突入電流によって発電装置１１からの電力供給が停止することを抑制することが期待できる。
【００４８】
充電制御部２５は、判定部２３から機器ＩＤと共に充電停止を指示された場合に、記憶部２１内の機器テーブル２１０を参照して、判定部２３から指示された機器ＩＤに対応付けられている突入電流の継続時間を取得する。そして、充電制御部２５は、有線通信部２６を介して、蓄電装置１４へ充電停止要求を送信する。
【００４９】
蓄電装置１４は、充電制御部２５から受信した充電停止要求に応じて蓄電池１７の充電を停止する。そして、蓄電装置１４は、充電停止応答を充電制御部２５へ送信する。なお、蓄電装置１４は、稼働中の機器１６による消費電流の合計値を測定しており、消費電流の合計値が、所定の閾値を超える場合、蓄電池１７の充電を停止する。そのため、蓄電池１７の充電を停止している場合、蓄電装置１４は、充電制御部２５からの充電停止要求に対して即座に充電停止応答を返す。なお、所定の閾値とは、例えば、蓄電池１７の充電電流の値に所定のマージンを加えた値を、発電装置１１の現在の発電量において供給可能な電流の値から引いた値である。
【００５０】
充電制御部２５は、蓄電装置１４から充電停止応答を受信した場合に、判定部２３から指示された機器ＩＤと共に、当該機器ＩＤに対応する機器１６の起動を起動指示部２７に指示する。そして、充電制御部２５は、蓄電装置１４から充電停止応答を受信してから、機器テーブル２１０より取得した継続時間が経過した場合に、充電再開要求を有線通信部２６を介して蓄電装置１４へ送信する。
【００５１】
蓄電装置１４は、充電制御部２５から受信した充電再開要求に応じて蓄電池１７の充電を再開する。なお、各機器１６の消費電流の合計値が、所定の閾値を超える場合には、蓄電装置１４は、充電制御部２５から充電再開要求を受信しても、蓄電池１７の充電停止を継続する。
【００５２】
起動指示部２７は、判定部２３または充電制御部２５から機器ＩＤと共に機器１６の起動を指示された場合に、当該機器ＩＤに対応する機器１６へ、アクセスポイント１８を介して起動指示を送信する。そして、起動指示部２７は、記憶部２１内の機器テーブル２１０を参照し、判定部２３または充電制御部２５から指示された機器ＩＤに対応付けられているステータスを「稼働」に変更する。起動指示を受信した機器１６の通信部は、本体部を起動させる。
【００５３】
［制御装置２０の動作］
図６は、制御装置２０の動作の一例を示すフローチャートである。
【００５４】
まず、判定部２３は、無線通信部２４およびアクセスポイント１８を介して、機器１６から起動要求を受信したか否かを判定する（Ｓ１００）。判定部２３が起動要求を受信していない場合（Ｓ１００：Ｎｏ）、収集部２２は、無線通信部２４およびアクセスポイント１８を介して、機器１６から停止通知を受信したか否かを判定する（Ｓ１１１）。機器１６から停止通知を受信していない場合（Ｓ１１１：Ｎｏ）、判定部２３は、再びステップＳ１００に示した処理を実行する。
【００５５】
一方、機器１６から停止通知を受信した場合（Ｓ１１１：Ｙｅｓ）、収集部２２は、記憶部２１内の機器テーブル２１０を参照し、停止通知に含まれている機器ＩＤに対応付けられているステータスを「停止」に変更し（Ｓ１１２）、判定部２３は、再びステップＳ１００に示した処理を実行する。
【００５６】
起動要求を受信した場合（Ｓ１００：Ｙｅｓ）、判定部２３は、記憶部２１内の機器テーブル２１０を参照し、起動要求に含まれている機器ＩＤに対応付けられている突入電流の値を取得する（Ｓ１０１）。そして、判定部２３は、記憶部２１内の機器テーブル２１０を参照し、「稼働」のステータスが対応付けられている機器ＩＤを特定し、特定した機器ＩＤに対応付けられている消費電流の値を取得する（Ｓ１０２）。そして、判定部２３は、突入電流の値と、稼働中の機器１６の消費電流の値とを合計する。
【００５７】
次に、判定部２３は、有線通信部２６を介して蓄電装置１４に問い合わせ、発電装置１１による現在の発電量に基づいて供給可能な電流の値を蓄電装置１４から取得する（Ｓ１０３）。そして、判定部２３は、蓄電池１７の充電電流の値に所定のマージンを加えた値を算出し、取得した電流値から、算出した値を引いた値を、第１の電流値として算出する。
【００５８】
次に、判定部２３は、起動する機器１６の突入電流の値と、稼働中の機器１６の消費電流の値との合計の電流値が、算出した第１の電流値以上か否かを判定する（Ｓ１０４）。合計の電流値が第１の電流値未満である場合（Ｓ１０４：Ｎｏ）、判定部２３は、起動要求に含まれていた機器ＩＤと共に、当該機器ＩＤに対応する機器１６の起動を起動指示部２７に指示する。
【００５９】
起動指示部２７は、判定部２３から指示された機器ＩＤに対応する機器１６へ、アクセスポイント１８を介して起動指示を送信する（Ｓ１１３）。そして、起動指示部２７は、記憶部２１内の機器テーブル２１０を参照し、判定部２３から指示された機器ＩＤに対応付けられているステータスを「稼働」に変更し（Ｓ１１４）、判定部２３は、再びステップＳ１００に示した処理を実行する。
【００６０】
一方、合計の電流値が第１の電流値以上である場合（Ｓ１０４：Ｙｅｓ）、判定部２３は、起動要求に含まれていた機器ＩＤと共に、蓄電池１７の充電の停止を充電制御部２５に指示する。充電制御部２５は、記憶部２１内の機器テーブル２１０を参照して、判定部２３から指示された機器ＩＤに対応付けられている突入電流の継続時間を取得する。そして、充電制御部２５は、有線通信部２６を介して、蓄電装置１４へ充電停止要求を送信する（Ｓ１０５）。
【００６１】
次に、充電制御部２５は、蓄電装置１４から充電停止応答を受信し（Ｓ１０６）、判定部２３から指示された機器ＩＤと共に、当該機器ＩＤに対応する機器１６の起動を起動指示部２７に指示する。起動指示部２７は、充電制御部２５から指示された機器ＩＤに対応する機器１６へ、アクセスポイント１８を介して起動指示を送信する（Ｓ１０７）。そして、起動指示部２７は、記憶部２１内の機器テーブル２１０を参照し、充電制御部２５から指示された機器ＩＤに対応付けられているステータスを「稼働」に変更する（Ｓ１０８）。
【００６２】
次に、充電制御部２５は、蓄電装置１４から充電停止応答を受信してから、機器テーブル２１０より取得した突入電流の継続時間が経過したか否かを判定する（Ｓ１０９）。充電停止応答を受信してから、突入電流の継続時間が経過した場合（Ｓ１０９：Ｙｅｓ）、起動指示部２７は、充電再開要求を有線通信部２６を介して蓄電装置１４へ送信し（Ｓ１１０）、判定部２３は、再びステップＳ１００に示した処理を実行する。
【００６３】
［蓄電装置１４の動作］
図７は、蓄電装置１４の動作の一例を示すフローチャートである。
【００６４】
まず、蓄電装置１４は、内部メモリに保持している充電停止フラグに０をセットする（Ｓ２００）。そして、蓄電装置１４は、制御装置２０から充電停止要求を受信したか否かを判定する（Ｓ２０１）。充電停止要求を受信した場合（Ｓ２０１：Ｙｅｓ）、蓄電装置１４は、内部メモリに保持している充電停止フラグに１をセットし（Ｓ２０２）、再びステップＳ２０１に示した処理を実行する。
【００６５】
充電停止要求を受信していない場合（Ｓ２０１：Ｎｏ）、蓄電装置１４は、制御装置２０から充電再開要求を受信したか否かを判定する（Ｓ２０３）。充電再開要求を受信した場合（Ｓ２０３：Ｙｅｓ）、蓄電装置１４は、内部メモリに保持している充電停止フラグに０をセットし（Ｓ２０４）、再びステップＳ２０１に示した処理を実行する。
【００６６】
充電再開要求を受信していない場合（Ｓ２０３：Ｎｏ）、蓄電装置１４は、分電盤１５を介して機器１６に供給中の電流の値が、発電装置１１が生成する電力に基づいて供給可能な電流の値から、所定値を引いた電流の値未満か否かを判定する（Ｓ２０５）。分電盤１５を介して機器１６に供給中の電流の値が、発電装置１１が生成する電力に基づいて供給可能な電流の値から、所定値を引いた電流の値未満である場合（Ｓ２０５：Ｙｅｓ）、蓄電装置１４は、蓄電池１７の充電中であるか否かを判定する（Ｓ２０６）。
【００６７】
蓄電池１７の充電中である場合（Ｓ２０６：Ｙｅｓ）、蓄電装置１４は、内部メモリに保持している充電停止フラグを参照して、充電停止フラグに１がセットされているか否かを判定する（Ｓ２０７）。充電停止フラグに１がセットされている場合（Ｓ２０７：Ｙｅｓ）、蓄電装置１４は、蓄電池１７の充電を停止する（Ｓ２０８）。そして、蓄電装置１４は、充電停止応答を制御装置２０へ送信し（Ｓ２０９）、再びステップＳ２０１に示した処理を実行する。一方、充電停止フラグに０がセットされている場合（Ｓ２０７：Ｎｏ）、蓄電装置１４は、再びステップＳ２０１に示した処理を実行する。
【００６８】
蓄電池１７の充電中ではない場合（Ｓ２０６：Ｎｏ）、蓄電装置１４は、内部メモリに保持している充電停止フラグを参照して、充電停止フラグに０がセットされているか否かを判定する（Ｓ２１０）。充電停止フラグに０がセットされている場合（Ｓ２１０：Ｙｅｓ）、蓄電装置１４は、蓄電池１７の充電を開始し（Ｓ２１１）、再びステップＳ２０１に示した処理を実行する。一方、充電停止フラグに１がセットされている場合（Ｓ２１０：Ｎｏ）、蓄電装置１４は、再びステップＳ２０１に示した処理を実行する。
【００６９】
分電盤１５を介して機器１６に供給中の電流の値が、発電装置１１が生成する電力に基づいて供給可能な電流の値から、所定値を引いた電流の値以上である場合（Ｓ２０５：Ｎｏ）、蓄電装置１４は、蓄電池１７の充電中であるか否かを判定する（Ｓ２１２）。蓄電池１７の充電中である場合（Ｓ２１２：Ｙｅｓ）、蓄電装置１４は、蓄電池１７の充電を停止し（Ｓ２１３）、再びステップＳ２０１に示した処理を実行する。一方、蓄電池１７の充電中ではない場合（Ｓ２１２：Ｎｏ）、蓄電装置１４は、再びステップＳ２０１に示した処理を実行する。
【００７０】
［制御装置２０のハードウェア構成］
図８は、制御装置２０の機能を実現するコンピュータ５０の一例を示すハードウェア構成図である。コンピュータ５０は、ＣＰＵ（Central Processing Unit）５１、ＲＡＭ（Random Access Memory）５２、ＲＯＭ（Read Only Memory）５３、無線通信機５４、有線通信インターフェイス（Ｉ／Ｆ）５５、入出力インターフェイス（Ｉ／Ｆ）５６、およびメディアインターフェイス（Ｉ／Ｆ）５７を備える。
【００７１】
ＣＰＵ５１は、ＲＯＭ５３に格納されたプログラムに基づいて動作し、各部の制御を行う。ＲＯＭ５３は、コンピュータ５０の起動時にＣＰＵ５１によって実行されるブートプログラムや、コンピュータ５０のハードウェアに依存するプログラム等を格納する。
【００７２】
ＣＰＵ５１は、入出力インターフェイス５６を介して、液晶表示装置等の出力装置、および、タッチパネルやキーパッド等の入力装置を制御する。ＣＰＵ５１は、入出力インターフェイス５６を介して、入力装置からデータを取得する。また、ＣＰＵ５１は、生成したデータを、入出力インターフェイス５６を介して出力装置へ出力する。
【００７３】
無線通信機５４は、Bluetoothや無線ＬＡＮ等の無線通信方式を用いて、アクセスポイント１８と無線通信を行う。そして、無線通信機５４は、アクセスポイント１８を介して他の機器からデータを受信してＣＰＵ５１へ送り、ＣＰＵ５１が生成したデータを、アクセスポイント１８を介して他の機器へ送信する。有線通信インターフェイス５５は、通信ケーブルを介して蓄電装置１４からデータを受信してＣＰＵ５１へ送り、ＣＰＵ５１が生成したデータを、通信ケーブルを介して蓄電装置１４へ送信する。
【００７４】
メディアインターフェイス５７は、記録媒体５８に格納されたプログラムまたはデータを読み取り、ＲＡＭ５２を介してＣＰＵ５１に提供する。ＣＰＵ５１は、当該プログラムを、メディアインターフェイス５７を介して記録媒体５８からＲＡＭ５２上にロードし、ロードしたプログラムを実行する。記録媒体５８は、例えば磁気記録媒体や半導体メモリ等である。
【００７５】
コンピュータ５０のＣＰＵ５１は、ＲＡＭ５２上にロードされたプログラムを実行することにより、記憶部２１、収集部２２、判定部２３、無線通信部２４、充電制御部２５、有線通信部２６、および起動指示部２７の各機能を実現する。ＲＡＭ５２またはＲＯＭ５３には、記憶部２１内のデータが格納される。コンピュータ５０のＣＰＵ５１は、これらのプログラムを、記録媒体５８から読み取って実行するが、他の例として、例えばアクセスポイント１８を介して他の装置から、これらのプログラムを取得してもよい。
【００７６】
以上、一実施形態について説明した。
【００７７】
上記説明から明らかなように、本実施形態の電力制御システム１によれば、機器１６の起動により発生する突入電流によって発電装置１１からの電力供給が停止することを抑制することが期待できる。
【００７８】
［変形例］
なお、本発明は、上記した実施形態に限定されるものではなく、その要旨の範囲内で数々の変形が可能である。
【００７９】
例えば、上記した実施形態において、充電制御部２５は、新たに起動する機器１６の突入電流によって、分電盤１５に接続された機器１６において消費される電流の合計値が、第１の電流値を超える場合に、蓄電池１７の充電を停止させるが、本発明はこれに限られない。例えば、充電制御部２５は、新たに起動する機器１６の突入電流によって、分電盤１５に接続された機器１６において消費される電流の合計値が、第１の電流値を超える場合に、蓄電池１７の充電を停止し、蓄電池１７の放電を開始させ、発電装置１１の現在の発電量において供給可能な電流に、蓄電池１７からの電流を加えて、分電盤１５に接続された機器１６に供給するようにしてもよい。これにより、機器１６の起動により発生する突入電流による発電装置１１からの電力供給の停止を、さらに抑制することが期待できる。
【００８０】
また、充電制御部２５は、新たに起動する機器１６の突入電流によって、分電盤１５に接続された機器１６において消費される電流の合計値が、第１の電流値を超える場合に、例えば、蓄電池１７の充電を停止させると共に、発電装置１１の現在の発電量において供給可能な電流、および、蓄電池１７の放電により供給可能な電流のうち、いずれか大きい方を、分電盤１５に接続された機器１６に供給するようにしてもよい。
【００８１】
また、上記した実施形態において、判定部２３は、アクセスポイント１８を介して各機器１６から起動要求を受信した場合に、起動する機器１６の突入電流の値と、稼働中の機器１６の消費電流の値との合計の電流値が、第１の電流値以上か否かを判定するが、本発明はこれに限られない。例えば、判定部２３は、アクセスポイント１８を介して各機器１６から起動要求を受信した場合に、蓄電池１７を充電中か否かを蓄電装置１４に問い合わせ、蓄電池１７を充電中の場合に、起動する機器１６の突入電流の値と、稼働中の機器１６の消費電流の値との合計の電流値が、第１の電流値以上か否かを判定するようにしてもよい。これにより、制御装置２０は、蓄電池１７の充電中でない場合に、重ねて蓄電装置１４に充電停止を指示する処理を省くことができる。
【００８２】
また、上記した実施形態では、各機器１６から送信された起動要求をトリガーとして、制御装置２０が、起動要求の送信元の機器１６の突入電流と、稼働中の機器１６の定常状態での消費電流とに基づいて、蓄電池１７の充電停止と、機器１６への起動指示の送信とを行ったが、本発明はこれに限られない。例えば、ユーザの操作に応じて、制御装置２０が、起動する機器１６を特定し、特定した機器１６の突入電流と、稼働中の機器１６の定常状態での消費電流とに基づいて、蓄電池１７の充電停止と、機器１６への起動指示の送信とを行ってもよい。
【００８３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１１  発電装置
１４  蓄電装置
１７  蓄電池
２０  制御装置
２３  判定部
２５  充電制御部
２７  起動指示部
【図１】
2015154616.tif 000003
【図２】
2015154616.tif 000004
【図３】
2015154616.tif 000005
【図４】
2015154616.tif 000006
【図５】
2015154616.tif 000007
【図６】
2015154616.tif 000008
【図７】
2015154616.tif 000009
【図８】
2015154616.tif 000010